(57)【要約】【課題】全高が小さく製造が容易な前床を有するブレークアクション銃を提供する。【解決手段】本発明は銃尾ハウジングと、銃尾ハウジングに設けられたヒンジ軸受について傾倒自在な銃身部分と、前端に固定機構を有し、後端に銃尾ハウジングと回動可能に当接するための軸受部を有する取り外し可能な前銃身とを具備するブレークアクション銃に関する。ヒンジ軸受は、銃尾ハウジングから内方へ突出する複数のヒンジピンを有し、それらヒンジピンが銃身部分の取付部の対向側面に設けられた側方凹部と係合する。軸受部が取付部の両側面の対応する当接面と当接する少なくとも１つの側方面を備えた、内側へ突出する複数のボルトを有する。これらの構成によって、ブレークアクション銃の前床の全高を小さくし、製造を容易にすることができる。【選択図】　　　図１
2004069292.tif 000002
【特許請求の範囲】
【請求項１】
銃尾ハウジング（１）と、該銃尾ハウジング（１）上のヒンジ軸受を中心に傾倒可能な銃身部分（２、３、４）と、前端に固定機構（１２）を有し、後端に前記銃尾ハウジング（１）と回動可能に接続するための軸受部（１３）を有する取り外し可能な前床（１１）とを具備するブレークアクション銃であって、
前記ヒンジ軸受は、前記銃尾ハウジング（１）から内側へ横向きに突出する複数のヒンジピン（３０）を有し、該ヒンジピン（３０）は前記銃身部分（２、３、４）の取付部（２）の互いに反対側の側面（６、７）上の複数の側方凹部（３１）に係合し、前記軸受部（１３）は前記取付部（２）の２つの前記側面（６、７）上の対応する複数の当接面（３５）に当接する少なくとも１つの側方面（３４）を備えた、内側へ突出する複数のボルト（３３）を有することを特徴とするブレークアクション銃。
【請求項２】
前記複数のボルト（３３）が、前記取付部（２）の前記側面（６、７）に重なる前記軸受部（１３）の２つの横部材（１７、１８）に配置されることを特徴とする請求項１に記載のブレークアクション銃。
【請求項３】
前記軸受部（１３）が、前記銃尾ハウジング（１）の前端の対応する凸状対向面（２１）に当接するための後部凹状軸受面（１９、２０）を有することを特徴とする請求項１又は２に記載のブレークアクション銃。
【請求項４】
前記複数のボルト（３３）が、回転可能であるとともに脱落しないように前記軸受部（１３）に保持されていることを特徴とする請求項１〜３のいずれか１項に記載のブレークアクション銃。
【請求項５】
前記複数のボルト（３３）が、該ボルト（３３）に設けられた環状溝（４０）と前記横部材（１７、１８）に配置されたクロスピン（４１）とによって、回転可能であるとともに脱落しないように前記軸受部（１３）に保持されることを特徴とする請求項２〜４のいずれか１項に記載のブレークアクション銃。
【請求項６】
前記複数の当接面（３５）が、前記ヒンジピン（３０）のための前記凹部（３１）の上方に位置するように前記取付部（２）の前記２つの側面（６、７）に配置されることを特徴とする請求項１〜５のいずれか１項に記載のブレークアクション銃。
【請求項７】
前記複数の当接面（３５）が、前記取付部（２）の前記２つの側面（６、７）上の２つのガイド溝（３７）の前側に配置されることを特徴とする請求項１〜６のいずれか１項に記載のブレークアクション銃。
【請求項８】
前記複数のボルト（３３）が、該ボルト（３３）の中心軸への距離（ａ、ｂ）が互いに異なる少なくとも２つの互いに反対側の当接面を有することを特徴とする請求項１又は２に記載のブレークアクション銃。
【発明の詳細な説明】
【０００１】
【発明の属する技術分野】
本発明は、請求項１の前提条件に係るブレークアクション銃（ｂｒｅａｋ−ａｃｔｉｏｎ　ｆｉｒｅａｒｍ）に関する。
【０００２】
【従来の技術】
このようなブレークアクション銃又は火器は、特許文献１から公知である。この公知技術においては、銃身部を回動させるためのヒンジ軸受が、２つの銃身の下方で銃尾ハウジングを直交方向に通って延びる連続的ヒンジボルトを有する。ヒンジボルトは軸受箱によって把持され、軸受箱は下方に延びる取付部の前銃身キャッチャー上の前方に開口する半体と、銃床の前床の後端に取り付けられた軸受部の後方に開口する半体とから構成される。銃尾ハウジングに対して銃身部を固定するために、固定レバーによって操作可能なスライドに係合する後銃身キャッチャーが取付部に設けられる。また取付部の前端には下方へ延びる追加的タブが設けられ、このタブは銃床の前床に配置されたねじのための当接部として機能する。銃床の前床の前端には固定機構が設けられ、この固定機構を介して前床を銃身部のラグに固定することができる。前床が銃身部に固定されると、ねじとタブとの係合により、軸受箱の２つの半体がヒンジボルトを予め定めた圧力で把持する。しかし、このようなブレークアクション銃の場合、２つの銃身キャッチャー及び追加的タブを有する取付部の製造は比較的複雑である。さらに取付部は、下方に位置するヒンジボルトと相互作用する部分のために、それに応じて全高が高くなる。
【０００３】
取り外し可能な銃床の前床を有するブレークアクション銃は、特許文献２から公知である。この公知技術の場合、前床の後端は、銃尾ハウジング前端の凹状対向面と当接するための凸状軸受面を備えた軸受箱を有する。軸受箱が銃尾ハウジング上に遊びがなく当接できるように、前床の中間に調節可能な楔形スライドを有する凹部が設けられる。この楔形スライドは、銃身の底側に取り付けられた楔形部材と係合する。楔形スライドの適当な調節によって、前床の後方軸受箱が銃尾ハウジングの凸状対向面に対して押圧される。しかしこの構成においては、銃身に取り付けられた楔形部材は、前床が楔作用によって固定されるときに比較的大きい力を吸収しなければならず、故に楔形部材は硬半田付けによって銃身に固定される。しかし、このプロセスにおいて発生する熱が、熱処理された銃身の性質に悪影響を与える場合があり、それによりコストのかかる後処理が必要になる。
【０００４】
特許文献３からも公知であるブレークアクション銃は、銃尾ハウジング上のヒンジ軸受の回りを回動可能な銃身取付部と取り外し可能な銃床の前床とを有する。前床はその後端領域に、後方へ開口する軸受箱の半体の１つを有し、この半体は、銃身取付部上の前方に開口する軸受箱の半体と協働して、銃尾ハウジング上のヒンジ継手を形成する連続的ヒンジボルトを把持する。銃身取付部は下向きのタブを有し、このタブは前床の上のストッパーに対する当接部を形成する。銃床の前床にはアダプタースリーブが設けられる。このアダプタースリーブは、ブレークアクション銃が組み立てられたときにタブの斜めの当接面に支持されて、２つの軸受箱の半体をヒンジボルトに押圧させる。
【０００５】
【特許文献１】
独国特許第４４２２８９５号明細書
【特許文献２】
米国特許第４，２８２，６７１号明細書
【特許文献３】
独国特許第１９９０９１１４号明細書
【０００６】
【発明が解決しようとする課題】
本発明の目的は、全高が小さく製造が容易な銃床の前床を特徴とする、上述したようなブレークアクション銃を提供することである。
【０００７】
【課題を解決するための手段】
この目的は請求項１に記載の特徴を有するブレークアクション銃によって達成される。本発明の好適な構成及び有利な改良点は従属請求項に記載される。
【０００８】
本発明のブレークアクション銃においては、銃尾ハウジングの内側に突き出るとともに取付部の対向側面上の側方凹部に係合する２つのヒンジピンの回りを、銃身部が回動可能である。銃尾ハウジングに回転可能に接続された前床の軸受部は内側に突き出る複数のボルトを有し、これらのボルトは少なくとも１つの側方当接面を有するとともに、前床のための取付部の２つの側面上の対応する当接面に当接する。簡易に交換可能なボルトを適切に選択することにより、ヒンジピンに対する取付部の当接圧力が調節可能であり、必要であれば迅速かつ容易に修正することができる。例えばヒンジ継手の遊びが大きすぎ又は小さすぎる場合は、ボルトを簡単な方法で取り外して、ボルト中心点から当接面までの距離がより大きいか又はより小さいピンと交換するだけでよい。側方のボルトがあるために、前床に作用する系の力は取付部に支持される。従って、固定機構は大きい力を受けないため、銃身への取り付け具の取り付けを、例えば軟半田付けによって、大きい熱影響を受けずに行うことができる。故に、銃身への悪影響を防止することができる。２つのヒンジピン及び複数のボルトはいずれも底銃身の高さに配置され、それにより銃の前部の構造をコンパクトにしてその全高を最小化することが可能になる。
【０００９】
本発明の好適な実施携帯においては、複数のボルトは、ボルト中心軸から互いに異なる距離に位置する少なくとも２つの互いに対向する当接面を有する。従って、１つのボルトを適切に回転させることによって、互いに異なる当接力を得ることができる。
【００１０】
本発明のさらなる特徴及び長所は、以下に図面を参照しながら好適な実施形態を説明することによって明らかになる。
【００１１】
【発明の実施の形態】
図１に部分図示されたブレークアクション銃は、一部のみ図示された銃尾ハウジング１を有し、この銃尾ハウジングには、取付部２、上方銃身３及び下方銃身４を有する銃身部が、回転軸５の回りを回転できるように配置される。取付部２は、２つの対向する側面６及び７と下方銃身キャッチャー８とを有する。下方銃身キャッチャー８は、銃尾ハウジング１の対応する受容開口と係合し、固定レバー９によって起動可能な固定楔１０によって固定又は解放される。ブレークアクション銃はまた、図示されない後部銃床と前床１１とを有する。前床１１は、その前端に固定機構１２を有し、その後端に図５及び図６に図示される軸受部１３を有する。
【００１２】
図５及び図６から明らかなように、金属から構成される軸受部１３は後方当接部１４及びラグ１５を有する。ラグ１５は、前方へ突き出るとともに、図１に示されるように前床１１の後端の凹部１６に配置される。図６の背面図において実質的Ｕ字形状を有する当接部１４は、取付部２の側面６及び７に重ねられる２つの横部材１７及び１８を有する。横部材１７及び１８は、後側に凹状軸受面１９及び２０をそれぞれ有し、凹状軸受面１９及び２０は、銃尾ハウジング１の前端にある対応する凸状対向面２１に当接する。当接部１４には、軸受部１３を前床１１に取り付けるための側端孔２２が形成される。
【００１３】
前床１１の前端に設けられた固定機構１２は、前床１１の凹部２３に取り付けられたガイド部２４を有し、楔２５を備えたスライド２６が銃身軸と平行に移動できるようにガイド部２４に配置される。楔２５は、下方銃身４に固定された銃身ラグ２８の溝２７と係合する。ガイド部２４とスライド２６との間にはばね２９が設けられ、このばね２９が楔２５を溝２７内に押入する。ばね２９の力に抗してスライド２６を逆方向へ押すことにより、楔２５が溝２７に係合しなくなり、前床１１の前端が下方へ傾倒可能になる。
【００１４】
取付部２を回転軸５について回転させるために、内方へ突出する２本の対向するヒンジピン３０が銃尾ハウジング１の側部に配置される。これらのヒンジピンは、取付部２の対向する側面６及び７上の側方凹部３１に係合する。２つの凹部３１は後部半円形当接面３２を有する。これらの当接面３２は、取付部２を対応するヒンジピン３０に当接させるための、前方に開口した軸受面を形成する。銃尾ハウジングの凸状対向面２１に当接する２つの凹状当接面又は後部凹状軸受面１９及び２０によって、銃尾を開閉するための銃身部分２の傾倒を可能にする後方に開口した軸受面が形成される。銃尾ハウジング１の対向面２１に対する軸受部１３の当接面１９及び２０の当接圧力は、軸受部１３の横部材１７及び１８から内方へ突出するように配置される２つの対向するボルト３３によって与えられる。またボルト３３の側面３４は、図２に示すように、取付部２の両側面６及び７に設けられた複数の傾斜当接面３５と当接する。当接圧力は、ボルト３３の中心点から当接面３４までの距離ａを適当に選択することにより設定可能である。この当接圧力は、取付部２を２つのヒンジピン３０に押圧させ、軸受部１３の当接面１９及び２０を対向面２１に押圧させる圧力である。
【００１５】
２つのボルト３３のための傾斜当接面３５は、ヒンジピン３０のための凹部３１の上方に位置するように取付部２の２つの側面６及び７に設けられた２つのガイド溝３７の前側に配置される。後向きの当接面３５は下方へ傾斜しているので、ボルト３３によって、ヒンジピン３０に作用する図２の矢印方向の力Ｆが生じる。
【００１６】
図５及び図６からわかるように、軸受部１３の２つの横部材１７及び１８には、２つのボルト３３のための互いに反対側の複数の孔３８が形成される。図７及び図８に示されるボルト３３は、孔３８内で回転できるように、細いピン３９を有して構成される。ピン３９は環状溝４０を有し、それによりボルト３３は、横部材１７、１８に配置されたクロスピン４１を用いて、回転可能であるとともに脱落しないように当接部１４と当接した状態で軸受部１３に確実に保持される。横部材１７又は１８から内方へ突出するボルト３３の幅広当接部４２には、側方当接面３４及びそれと反対側の他の面４３が設けられる。
【００１７】
図８に示されるように、互いに反対側の２つの面３４及び４３は、ボルト３３の中心点又は中心軸へのそれぞれの距離ａ及びｂが互いに異なることを特徴とする。ボルト３３を回転させることにより、２つのヒンジピン３０に対する取付部２の当接圧力を必要に応じて変化させることができる。既存のボルトが有する距離が不十分である場合は、そのボルトを、ボルト中心点から当接面３４及び４３までの距離が異なるボルトに簡単な方法で交換することができる。
【００１８】
上記ブレークアクション銃を組み立てるには、先ず２つの銃身３及び４を備えた取付部２を銃尾ハウジング１に挿入し、取付部２の２つの当接面３２を２つのヒンジピン３０に後方から当接させる。次に、前床１１の後方軸受部１３は、下方へ傾倒した配置で銃尾ハウジング１に配置可能になるとともに、軸受部１３の内側に突出するボルト３３の当接面３４が取付部２の当接面３５と当接するように上方へ回動させることができる。ボルト３３が回転することにより、ボルト３３の当接面３４が当接面３５に当接して、前床１１の取り付け及び上方への回動を行うことができる。前床１１が上方へ回動すると、ばね付勢されたスライド２６のキャッチャー２５が銃身ラグ２８の溝２７に係合し、前床１１が固定位置に保持される。銃身部分を分解するためには、スライド２６を手で逆方向へ押すだけでよい。これによって固定機構が解放され、前床１１の下方への回動及び取り外しが可能になる。次いで銃身部分の取り外しが可能になる。
【図面の簡単な説明】
【図１】一部が切除された取付部及び前銃床を有する２連装ブレークアクション銃の部分側面図である。
【図２】図１の領域Ａの詳細図である。
【図３】図１のブレークアクション銃の取付部を示す図である。
【図４】図３のＢ−Ｂ線における取付部の断面図である。
【図５】前銃床の軸受部の側面図である。
【図６】図５の軸受部の背面図である。
【図７】図６の軸受部のボルトの側面図である。
【図８】図７のボルトの正面図である。
【符号の説明】
１…銃尾ハウジング
２…取付部
３…上方銃身
４…下方銃身
１１…前床
１７、１８…横部材
３０…ヒンジピン
３３…ボルト
【図１】
2004069292.tif 000003
【図２】
2004069292.tif 000004
【図３】
2004069292.tif 000005
【図４】
2004069292.tif 000006
【図５】
2004069292.tif 000007
【図６】
2004069292.tif 000008
【図７】
2004069292.tif 000009
【図８】
2004069292.tif 000010